(57)【特許請求の範囲】
【請求項１】
椅子本体（１）を保持する椅子本体支持枠（７）を有し、該椅子本体支持枠（７）は、基台（８）の鉛直状乃至上方後傾状の起立枠（14）に昇降自在に取付けられたカーソル（10）に取着された固定枠（11）と、該固定枠（11）に水平前後方向にスライド可能に取付けられて上記椅子本体（１）が取着された前後可動枠（12）と、から成り、上記カーソル（10）はストッパ手段（Ｓ）によって下限（Ｌ1 ）が設定された所定ストローク（Ｈ）を昇降自在であり、さらに、昇降駆動手段（20）にて上記基台（８）の起立枠（14）に沿って上下往復動する昇降体（21）と、上記カーソル（10）とを、上記所定ストローク（Ｈ）の範囲では連動連結すると共に、上記カーソル（10）が上記ストッパ手段（Ｓ）によって上記下限（Ｌ1 ）にて停止した停止状態で上記昇降体（21）が下降すると、上記前後可動枠（12）が前方へ押し出されるように、上記可動枠（12）と上記昇降体（21）とを、連結した連動リンク（25）を具備することを特徴とする椅子。
【請求項２】
上記昇降駆動手段（20）は、電動モータ（22）とスクリューシャフト（24）を備え、上記昇降体（21）には上記スクリューシャフト（24）に螺合する雌ネジを有する請求項１記載の椅子。
【発明の詳細な説明】
【技術分野】
【０００１】
本発明は、椅子に係り、特に、身体弱者の昇降椅子に関する。
【背景技術】
【０００２】
従来から身体弱者用の椅子としては、種々の昇降椅子が提案されている。例えば、本出願人が提案した特許文献１の椅子では、座部と背もたれ部とが昇降可能であり、また、手動にて、座部を前進させると、背もたれ部が後傾する手動リクライニング機構を備える。
【特許文献１】特開平７−６７７３９号公報
【発明の開示】
【発明が解決しようとする課題】
【０００３】
膝や足腰の弱った老人、あるいは膝や足の不自由な身体弱者は、座椅子のように床面近くに座り込んだ姿勢から、自立で立上がることが困難であったり、立上がるにも非常に労力を要し、体への負担が大きかったが、上記特許文献１に記載の発明によって、立上り補助に大きな役目を果たしてきた。
【０００４】
しかしながら、座卓やホームごたつに入るのに、身体弱者は非常に労力を要し、体への負担も大きいのが実状であるが、手動リクライニング機構では、付添人の手助けが必要であり、また、座部のみを座卓やホームごたつの中へ入れたいと思っても、背もたれが後方へ傾斜するという問題があった。
【０００５】
そこで、本発明は、座部を下降させると自動的に、座卓やホームごたつの下へ座部が侵入して、身体弱者の体の負担を軽減できる、駆動機構も簡易な構成の昇降可能な椅子を提供することを目的とする。
【課題を解決するための手段】
【０００６】
そこで、本発明は、椅子本体を保持する椅子本体支持枠を有し、該椅子本体支持枠は、基台の鉛直状乃至上方後傾状の起立枠に昇降自在に取付けられたカーソルに取着された固定枠と、該固定枠に水平前後方向にスライド可能に取付けられて上記椅子本体が取着された前後可動枠と、から成り、上記カーソルはストッパ手段によって下限が設定された所定ストロークを昇降自在であり、さらに、昇降駆動手段にて上記基台の起立枠に沿って上下往復動する昇降体と、上記カーソルとを、上記所定ストロークの範囲では連動連結すると共に、上記カーソルが上記ストッパ手段によって上記下限にて停止した停止状態で上記昇降体が下降すると、上記前後可動枠が前方へ押し出されるように、上記可動枠と上記昇降体とを、連結した連動リンクを具備する。
また、上記椅子本体が鉛直状軸心廻りに回転可能として、椅子本体支持枠に保持されているものである。
また、上記前後可動枠は前端に、床面転動用車輪を有する。
また、上記昇降駆動手段は、電動モータとスクリューシャフトを備え、上記昇降体には上記スクリューシャフトに螺合する雌ネジを有するものである。
【発明の効果】
【０００７】
本発明は、次のような著大な効果を奏する。
昇降駆動手段は共用できて、単数個で済む。そして、カーソルと共に椅子本体支持枠が下降していってカーソルが下限にて停止した停止状態となると、椅子本体が自動的に前方へ移動して、椅子本体が床面に置かれた座卓やホームごたつに接近し、そして、座部がスムーズに座卓やホームごたつの下方へ侵入する。これによって、身体弱者は楽に低い位置に座ることができる。
【発明を実施するための最良の形態】
【０００８】
以下、図示の実施の形態に基づき本発明を詳説する。
図１〜図７は本発明に係る昇降椅子の実施の一形態を示し、図１と図４は中間高さ状態、図２と図５は下降状態、図３と図７は前進状態を示し、図６は図５と図７の中間の状態を示す。そして、図１〜図３は一部破断側面図であり、図４〜図７は一部破断背面図を示す。
【０００９】
これ等の図１〜図７に於て、１は椅子本体であって、座部２と背部３とひじ掛け４を備え、かつ、ガススプリング５を後方位置に有しており、背部３は揺動自在（リクライニング自在）に構成される。また、ひじ掛け４は水平状軸心６廻りに上方へ揺動可能である。  ７は椅子本体支持枠であって、椅子本体１を載置状として、保持している。この支持枠７は、側面視が倒立略Ｌ字型の枠材から成り、水平部７ａと後方起立部７ｂとを備える。さらに、この椅子本体支持枠７は、（後述の）カーソル10に取着された固定枠11と、この固定枠11に対して水平前後方向にスライド可能に取付けられた前後可動枠12と、を備え、この前後可動枠12に、椅子本体１が取着されている。
８は基台であり、水平状床載置部13と、その後方端から、鉛直状乃至上方後傾状に起立された起立枠14と、後端車輪15を有する。
【００１０】
カーソル（基本昇降盤）10は、例えば４個の案内輪16, 16, 16, 16を介して、基台８の起立枠14に昇降自在に取付けられている。背面から見て、起立枠14は、例えば門型として、左右柱14ａ，14ａに、案内輪16が転動可能として接触して案内される。また、背面から見てこのカーソル10は倒立凹型として、切欠部17を、中央下方位置に有する平盤状とする。
このカーソル10は、ストッパ18とストッパ受け（当り部）19とから成るストッパ手段Ｓによって、下限Ｌ1 が決定され（図２，図３参照）、所定ストロークＨを昇降自在に、前述の基台８の起立枠14に取付けられている。なお、符号18′は、ストッパ18の上限位置を示している。従って、上記ストロークＨを図示するのに、ストッパ18をもって表せば、図２と図３の実線のように、ストッパ受け19に当接した点が、ストローク下限Ｌ1 であると共に、符号18′の位置がストローク上限Ｌ2 である。
【００１１】
そして、21は、基台８の起立枠14に沿って上下往復動する雌ネジを有する（ブロック状の）昇降体である。この昇降体21は、電動モータ22と減速ギア装置23と（一点鎖線にて図４〜図７中に略して示す）スクリューシャフト24と上記雌ネジ等から成る昇降駆動手段20によって、上下往復する。
25は連動リンクであり、前後可動枠12と上記昇降体21とを、枢結軸26, 27にて連結する。
この連動リンク25は、側面から見て弯曲状弓型であり、左右一対を設ける（又は１本のみも可能）。
ブロック状の昇降体21の側面から突設した枢結軸27によって、弯曲状弓型の連動リンク25の上端を揺動可能に枢着し、カーソル10の下方の切欠部17を通過して前方へ突出状の下半部の前端を、枢結軸26によって、前後可動枠12の後縁中間部に、枢着する。
【００１２】
ところで、カーソル10は、図１と図４に示したように前記所定ストロークＨの範囲では、上下往復動する昇降体21と連動連結されているが、カーソル10がストッパ手段Ｓによって下限Ｌ1 にて停止した停止状態（図２と図５の状態）を越して、さらに、昇降体21のみが下降することによって、図６を経て図３と図７に示すように、前後可動枠12が前方へ押し出される（スライドする）。
さらに、具体的に説明すれば、カーソル10は、その背面側に縦長箱型の収納ケース部10Ａを有し、この収納ケース部10Ａを前記スクリューシャフト24が上下方向に貫通すると共に、このスクリューシャフト24に螺合する雌ネジ部を有する昇降体21は、収納ケース部10Ａ内に上下スライド可能に収納され、しかも、昇降体21の上面は、収納ケース部10Ａの天井壁面28に当接して、図２と図５に示す下限Ｌ1 に於ける停止状態から、上方位置にカーソル10が在る状態では、昇降体21とカーソル10（収納ケース部10Ａ）とは、一体状に昇降する（連動連結された状態となっている）。
【００１３】
しかし、昇降体21のみが、さらに下降可能であって、その際は、昇降体21の上面は、収納ケース部10Ａの天井壁面28から分離して、図６の状態となり、引き続いて、図７及び図３の状態まで昇降体21が下降して、連結リンク25が、図２から図３のように、しだいに前方へ移動しつつ水平状に近づき、これに伴って、前後可動枠12が前方へ移動し、これに載っている椅子本体１も前方へ移動する。
【００１４】
なお、収納ケース部10Ａには、枢結軸27が上下方向へ移動可能なように、上下長孔（スライド孔）29が開設されている。
なお、収納ケース部10Ａの形状としては、設計変更自由であり、後壁面を省略することも可能であり、また、天井壁部も、一部分として、図１と図４の状態で、昇降体21の上面が確実に当接して、椅子本体１と、その上の人の体重と、その他、支持枠７等の重量を保持できれば良い。
【００１５】
また、図１〜図３に示すように、前後可動枠12は、その前端に、床面30に転動可能な床面転動用車輪31を有する。図３に於て、人が椅子本体１に座っている場合には、この車輪31が床面30に接するように、僅かに前端側が下方へ揺動し、確実に全体が支持される。また、スムーズに椅子本体１及び前後可動枠12が、前後方向に移動することが可能となる。  また、椅子本体１は、鉛直状軸心Ｌ10廻りに回転可能として、椅子本体支持枠７の可動枠12に保持されており、前方位置に、座卓やホームごたつ等の邪魔な物が存在したとしても、椅子本体１を鉛直状軸心Ｌ10廻りに約90°回転させれば、容易に、座部２への乗り降りが可能となる利点がある。
なお、昇降体21を起立枠14に沿って上下往復動させるための昇降駆動手段20は、上述のスクリューシャフト24と雌ネジと電動モータ22等から成る構成に限らず、例えば、電動モータにて駆動されるエンドレス状タイミングベルトをもって構成したり、油圧往復動アクチュエータやエアー往復動アクチュエータをもって、構成することも可能である。
【００１６】
本発明に係る（昇降）椅子は、以上説明したように、椅子本体１を保持する椅子本体支持枠７を有し、該椅子本体支持枠７は、基台８の鉛直状乃至上方後傾状の起立枠14に昇降自在に取付けられたカーソル10に取着された固定枠11と、該固定枠11に水平前後方向にスライド可能に取付けられて上記椅子本体１が取着された前後可動枠12と、から成り、上記カーソル10はストッパ手段Ｓによって下限Ｌ1 が設定された所定ストロークＨを昇降自在であり、さらに、昇降駆動手段20にて上記基台８の起立枠14に沿って上下往復動する昇降体21と、上記カーソル10とを、上記所定ストロークＨの範囲では連動連結すると共に、上記カーソル10が上記ストッパ手段Ｓによって上記下限Ｌ1 にて停止した停止状態で上記昇降体21が下降すると、上記前後可動枠12が前方へ押し出されるように、上記可動枠12と上記昇降体21とを、連結した連動リンク25を具備する構成であるので、昇降駆動手段20を共用して、前後可動枠12及び椅子本体１が、低位置にて、自動的に前進（後進）できるので、駆動装置の簡素化を図り、構造が簡単となって、重量の軽減化も達成できる。
そして、座部２（椅子本体１）を下降させてゆけば、自動的に、座卓やホームごたつの下へ、座部２が前後可動枠12と共に、侵入し、身体弱者の身体の負担が軽減できる。しかも、座卓やホームごたつの下へ座部２が侵入する際に、背部３が勝手に傾動することもなく、安全に使用できる。
【００１７】
また、上記椅子本体１が鉛直状軸心Ｌ10廻りに回転可能として、椅子本体支持枠７の可動枠12に保持されているので、座卓やホームごたつの天板との間が（前後方向に）狭くとも、身体弱者は、容易に椅子本体１に乗ったり降りたりする動作を楽に行い得る。
また、上記前後可動枠12は前端に、床面転動用車輪31を有するので、椅子本体１及び体重を、確実かつ安定して、支持できて、安心して使用できる。
また、上記昇降駆動手段20は、電動モータ22とスクリューシャフト24を備え、上記昇降体21には上記スクリューシャフト24に螺合する雌ネジを有するので、所望の高さで椅子本体１を安定してかつ確実に停止でき、構造も簡素となる。
【図面の簡単な説明】
【００１８】
【図１】本発明の実施の一形態を示す中間高さ状態の一部破断側面図である。
【図２】下降状態を示す一部破断側面図である。
【図３】前進状態を示す一部破断側面図である。
【図４】中間高さ状態を示す一部破断背面図である。
【図５】下降状態を示す一部破断背面図である。
【図６】下降状態から前進状態へ移行途中を示す一部破断背面図である。
【図７】前進状態における一部破断背面図である。
【符号の説明】
【００１９】
１  椅子本体
７  椅子本体支持枠
８  基台
10  カーソル（基本昇降盤）
11  固定枠
12  前後可動枠
14  起立枠
20  昇降駆動手段
21  昇降体
22  電動モータ
24  スクリューシャフト
25  連動リンク
31  車輪
Ｓ  ストッパ手段
Ｌ1   下限
Ｈ  ストローク
Ｌ10  鉛直状軸心
【図１】
0005184954.tif 000002
【図２】
0005184954.tif 000003
【図３】
0005184954.tif 000004
【図４】
0005184954.tif 000005
【図５】
0005184954.tif 000006
【図６】
0005184954.tif 000007
【図７】
0005184954.tif 000008